【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなる有機ＥＬ発光素子であって、該有機ＥＬ発光素子の光を前記可撓性プラスチック基板を介して取り出す前記有機ＥＬ発光素子基板は、光を取り出す部分の外側面に反射防止機能を設けたことを特徴とする有機ＥＬ発光素子基板。
【請求項２】
可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなり、前記樹脂材料で周囲を囲まれた領域は、隣り合う発光層の光を遮光する非透光性材料とした有機ＥＬ発光素子であって、該有機ＥＬ発光素子の光を前記可撓性プラスチック基板を介して取り出す前記有機ＥＬ発光素子基板は、光を取り出す部分の外側面に反射防止機能を設けたことを特徴とする有機ＥＬ発光素子基板。
【請求項３】
可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなる有機ＥＬ発光素子であって、該有機ＥＬ発光素子の光を前記可撓性プラスチック基板に積層した他のプラスチック基板を介して取り出す有機ＥＬ発光素子基板は、光を取り出す部分の外側面に反射防止機能を設けたことを特徴とする有機ＥＬ発光素子基板。
【請求項４】
可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなり、前記樹脂材料で周囲を囲まれた領域は、隣り合う発光層の光を遮光する非透光性材料とした有機ＥＬ発光素子であって、該有機ＥＬ発光素子の光を前記可撓性プラスチック基板に積層した他のプラスチック基板を介して取り出す有機ＥＬ発光素子基板は、光を取り出す部分の外側面に反射防止機能を設けたことを特徴とする有機ＥＬ発光素子基板。
【請求項５】
前記異なる色を発色させる液体は、それぞれ赤色、緑色、青色を発色させる有機ＥＬ材料を含有する液体であることを特徴とする請求項１乃至４のいずれか１に記載の有機ＥＬ発光素子基板。
【請求項６】
前記反射防止機能は、基板表面に設けられた反射防止膜によるものであることを特徴とする請求項１乃至５のいずれか１に記載の有機ＥＬ発光素子基板。
【請求項７】
前記反射防止機能は、基板表面に設けられた微粒子によるものであることを特徴とする請求項１乃至５のいずれか１に記載の有機ＥＬ発光素子基板。
【請求項８】
前記反射防止機能は、基板部材の表面粗さをあらくすることによって得られるものであることを特徴とする請求項１乃至５のいずれか１に記載の有機ＥＬ発光素子基板。
【請求項９】
前記樹脂材料で周囲を囲まれた領域が、領域１、領域２、領域３と並んだ領域を１つのユニットとし、該ユニットが複数配列してなるとともに、前記領域は、各領域が並ぶ方向が短手、該方向に垂直方向が長手とされた細長形状であり、前記３つの領域には、赤色、緑色、青色を発色させる有機ＥＬ材料を含有する液体を噴射付与してなることを特徴とする請求項１乃至８のいずれか１に記載の有機ＥＬ発光素子基板。
【手続補正２】
【補正対象書類名】明細書
【補正対象項目名】発明の名称
【補正方法】変更
【補正の内容】
【発明の名称】有機ＥＬ発光素子基板
【手続補正３】
【補正対象書類名】明細書
【補正対象項目名】０００１
【補正方法】変更
【補正の内容】
【０００１】
本発明は、吐出装置を用いて有機ＥＬ材料の膜形成を行うことによって形成された有機ＥＬ発光素子基板に関する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明は、前記目的を達成するために、第１に、可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなる有機ＥＬ発光素子であって、該有機ＥＬ発光素子の光を前記可撓性プラスチック基板を介して取り出す前記有機ＥＬ発光素子基板は、光を取り出す部分の外側面に反射防止機能を設けるようにした。
【手続補正７】
【補正対象書類名】明細書
【補正対象項目名】００１８
【補正方法】変更
【補正の内容】
【００１８】
第２に、可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなり、前記樹脂材料で周囲を囲まれた領域は、隣り合う発光層の光を遮光する非透光性材料とした有機ＥＬ発光素子であって、該有機ＥＬ発光素子の光を前記可撓性プラスチック基板を介して取り出す前記有機ＥＬ発光素子基板は、光を取り出す部分の外側面に反射防止機能を設けるようにした。
【手続補正８】
【補正対象書類名】明細書
【補正対象項目名】００１９
【補正方法】変更
【補正の内容】
【００１９】
第３に、可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなる有機ＥＬ発光素子であって、該有機ＥＬ発光素子の光を前記可撓性プラスチック基板に積層した他のプラスチック基板を介して取り出す有機ＥＬ発光素子基板は、光を取り出す部分の外側面に反射防止機能を設けるようにした。
【手続補正９】
【補正対象書類名】明細書
【補正対象項目名】００２０
【補正方法】変更
【補正の内容】
【００２０】
第４に、可撓性プラスチック基板上に形成された有機ＥＬ発光素子群を形成してなる有機ＥＬ発光素子基板において、前記有機ＥＬ発光素子は、導電性膜で形成された１対の電極間に設けられた有機ＥＬ発光材料層を含むとともに、該有機ＥＬ発光材料層は、有機ＥＬ発光材料を含有する液体を前記可撓性プラスチック基板に噴射付与した後、該液体中の揮発成分を揮発させ、該液体中の固形分を基板上に残留させることによって形成される有機ＥＬ発光素子であり、前記液体は、該液体が付与される領域の材質より濡れにくい材質の樹脂材料で周囲を囲まれた領域に付与されるとともに、該樹脂材料で周囲を囲まれた領域は複数個設けられ、該領域に異なる色を発色させる有機ＥＬ材料を含有する液体を噴射付与してなり、前記樹脂材料で周囲を囲まれた領域は、隣り合う発光層の光を遮光する非透光性材料とした有機ＥＬ発光素子であって、該有機ＥＬ発光素子の光を前記可撓性プラスチック基板に積層した他のプラスチック基板を介して取り出す有機ＥＬ発光素子基板は、光を取り出す部分の外側面に反射防止機能を設けるようにした。
【手続補正１０】
【補正対象書類名】明細書
【補正対象項目名】００２１
【補正方法】変更
【補正の内容】
【００２１】
第５に、上記第１乃至第４のいずれか１の有機ＥＬ発光素子基板において、前記異なる色を発色させる液体は、それぞれ赤色、緑色、青色を発色させる有機ＥＬ材料を含有する液体であるようにした。
【手続補正１１】
【補正対象書類名】明細書
【補正対象項目名】００２２
【補正方法】変更
【補正の内容】
【００２２】
第６に、上記第１乃至第５のいずれか１の有機ＥＬ発光素子基板において、前記反射防止機能は、基板表面に設けられた反射防止膜によるものであるようにした。
【手続補正１２】
【補正対象書類名】明細書
【補正対象項目名】００２３
【補正方法】変更
【補正の内容】
【００２３】
第７に、上記第１乃至第５のいずれか１の有機ＥＬ発光素子基板において、前記反射防止機能は、基板表面に設けられた微粒子によるものであるようにした。
【手続補正１３】
【補正対象書類名】明細書
【補正対象項目名】００２４
【補正方法】変更
【補正の内容】
【００２４】
第８に、上記第１乃至第５のいずれか１の有機ＥＬ発光素子基板において、前記反射防止機能は、基板部材の表面粗さをあらくすることによって得られるものであるようにした。
【手続補正１４】
【補正対象書類名】明細書
【補正対象項目名】００２５
【補正方法】変更
【補正の内容】
【００２５】
第９に、上記第１乃至第８のいずれか１の有機ＥＬ発光素子基板において、前記樹脂材料で周囲を囲まれた領域が、領域１、領域２、領域３と並んだ領域を１つのユニットとし、該ユニットが複数配列してなるとともに、前記領域は、各領域が並ぶ方向が短手、該方向に垂直方向が長手とされた細長形状であり、前記３つの領域には、赤色、緑色、青色を発色させる有機ＥＬ材料を含有する液体を噴射付与してなるようにした。
【手続補正１５】
【補正対象書類名】明細書
【補正対象項目名】００２６
【補正方法】変更
【補正の内容】
【００２６】
本発明によれば、必要な箇所に有機ＥＬ材料を含有する溶液が付着しやすく、所望の有機ＥＬ発光素子を高精度に製作することができるようになった。つまり、有機ＥＬ材料を含有する溶液が、隣接する発光素子間を分離するための樹脂皮膜には付きにくく、導電性膜が露出している領域には付着しやすいため、互いの発光素子がきれい、かつ完全に分離独立した有機ＥＬ発光素子群を形成した有機ＥＬ発光素子基板を得ることができるようになった。
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】変更
【補正の内容】
【００３２】
また、本発明によれば、フルカラー表示が可能な有機ＥＬディスプレイ装置に適用できるようになった。
【手続補正２０】
【補正対象書類名】明細書
【補正対象項目名】００３３
【補正方法】変更
【補正の内容】
【００３３】
また、本発明によれば、簡単な構成による機能追加によって、ディスプレイ装置に使用した場合に蛍光灯やその他不必要な外乱光等の反射が少なく、大変見やすいディスプレイ装置が実現できた。
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】変更
【補正の内容】
【００３６】
また、本発明によれば、フルカラー表示が可能な有機ＥＬディスプレイ装置に適用できるとともに、光の３原色の発光部を１つのピクセルとしてコンパクトに配列でき、それにより、より高品質な画像表示が得られる有機ＥＬディスプレイ装置とすることができた。
【手続補正２４】
【補正対象書類名】明細書
【補正対象項目名】００３７
【補正方法】変更
【補正の内容】
【００３７】
また、本発明によれば、ディスプレイ面（画像表示面）表面には表示品質を阻害する不要なものが何もなく、高品質な画像表示が得られるとともに、反射防止機能により、蛍光灯やその他不必要な外乱光等の反射が少なく、大変見やすいディスプレイ装置が実現できた。
【手続補正２５】
【補正対象書類名】明細書
【補正対象項目名】００３８
【補正方法】削除
【補正の内容】